【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
還元されたグラフェン酸化物（ＲＧＯ）と、金属および金属の酸化物のうちの少なくとも１つのナノ粒子とを含むナノ複合体であって、前記金属が、金、銀、白金、パラジウム、コバルト、マンガン、鉄、テルル、ロジウム、ルテニウム、銅、イリジウム、モリブデン、クロムおよびセリウムの少なくとも１つを含む、ナノ複合体。
【請求項２】
ナノ粒子が約１ｎｍ〜１００ｎｍの直径を有する、請求項１記載のナノ複合体。
【請求項３】
ナノ粒子が約３ｎｍ〜１０ｎｍの直径を有する、請求項１記載のナノ複合体。
【請求項４】
ナノ複合体が、ＲＧＯ−Ａｇ、ＲＧＯ−Ａｕ、ＲＧＯ−Ｐｔ、ＲＧＯ−Ｐｄ、ＲＧＯ−Ｆｅ、ＲＧＯ−Ｒｈ、ＲＧＯ−ＭｎＯx、ＲＧＯ−ＣｏＯ、ＲＧＯ−ＴｅＯ2、ＲＧＯ−Ｃｅ2Ｏ3、ＲＧＯ−Ｃｒ2Ｏ3の少なくとも１つを含む、請求項１記載のナノ複合体。
【請求項５】
ナノ粒子が非球状である、請求項１記載のナノ複合体。
【請求項６】
ナノ粒子が四面体形状、三角形状、角柱形状、ロッド形状、六角形状、立方体形状、リボン形状、管形状、らせん形状、樹枝形状、花形状、星形状、またはそれらの組み合わせのものである、請求項１記載のナノ複合体。
【請求項７】
ナノ複合体が、水から１以上の重金属を吸着することができる、請求項１記載のナノ複合体。
【請求項８】
１以上の重金属が、鉛（Ｐｂ（ＩＩ））、マンガン（Ｍｎ（ＩＩ））、銅（Ｃｕ（ＩＩ））、ニッケル（Ｎｉ（ＩＩ））、カドミウム（Ｃｄ（ＩＩ））および水銀（Ｈｇ（ＩＩ））金属の少なくとも１つを含む、請求項7記載のナノ複合体。
【請求項９】
ナノ複合体が、アルミナ、ゼオライト、活性炭、セルロース繊維、ココナッツ繊維、クレー、バナナシルク、ナイロン、またはヤシ殻の少なくとも１つを含む材料上に担持されている、請求項１記載のナノ複合体。
【請求項１０】
ナノ複合体を含む吸着剤であって、前記ナノ複合体が、還元されたグラフェン酸化物（ＲＧＯ）と、金属および金属の酸化物のうちの少なくとも１つのナノ粒子とを含み、前記金属が、金、銀、白金、パラジウム、コバルト、マンガン、鉄、テルル、ロジウム、ルテニウム、銅、イリジウム、モリブデン、クロムおよびセリウムの少なくとも１つを含む、吸着剤。
【請求項１１】
吸着剤が、水から１以上の重金属を吸着させるために用いられる、請求項１０記載の吸着剤。
【請求項１２】
１以上の重金属が、銅鉛（Ｐｂ（ＩＩ））、マンガン（Ｍｎ（ＩＩ））、（Ｃｕ（ＩＩ））、ニッケル（Ｎｉ（ＩＩ））、カドミウム（Ｃｄ（ＩＩ））および水銀（Ｈｇ（ＩＩ））金属の少なくとも１つを含む、請求項１１記載の吸着剤。
【請求項１３】
ナノ複合体が、アルミナ、ゼオライト、活性炭、セルロース繊維、ココナッツ繊維、クレー、バナナシルク、ナイロンおよびヤシ殻の少なくとも１つを含む材料上に担持されている、請求項１２記載の吸着剤。
【請求項１４】
吸着剤を１以上の重金属で汚染された水と混合することによって吸着剤がバッチセットアップで使用される、請求項１０記載の吸着剤。
【請求項１５】
吸着剤床に１以上の重金属で汚染された水を通過させることによって、吸着剤がカラムセットアップで使用される、請求項１０記載の吸着剤。
【請求項１６】
ナノ複合体を含む吸着剤であって、前記ナノ複合体が、還元されたグラフェン酸化物（ＲＧＯ）と、金属および金属の酸化物のうちの少なくとも１つのナノ粒子とを含み、前記金属が、金、銀、白金、パラジウム、コバルト、マンガン、鉄、テルル、ロジウム、ルテニウム、銅、イリジウム、モリブデン、クロムおよびセリウムの少なくとも１つを含み、前記ナノ複合体が基体に結合している、吸着剤。
【請求項１７】
基体が、シリカ、アルミナ、ゼオライト、活性炭、セルロース繊維、ココナッツ繊維、クレー、バナナシルク、ナイロン、およびヤシ殻の少なくとも１つを含む、請求項１６記載の吸着剤。
【請求項１８】
ナノ複合体が、キトサン、ポリアニリン、ポリビニルアルコール、およびポリビニルピロリドン（ＰＶＰ）の少なくとも１つを用いることによって基体に結合される、請求項１６記載の吸着剤。
【請求項１９】
吸着剤が、１以上の重金属を水から吸着するために用いられる、請求項１６記載の吸着剤。
【請求項２０】
１以上の重金属が、銅鉛（Ｐｂ（ＩＩ））、マンガン（Ｍｎ（ＩＩ））、（Ｃｕ（ＩＩ））、ニッケル（Ｎｉ（ＩＩ））、カドミウム（Ｃｄ（ＩＩ））および水銀（Ｈｇ（ＩＩ））金属の少なくとも１つを含む、請求項１６記載の吸着剤。
【請求項２１】
ナノ複合体が、アルミナ、ゼオライト、活性炭、セルロース繊維、ココナッツ繊維、クレー、バナナシルク、ナイロン、およびヤシ殻の少なくとも１つを含む材料上に担持されている、請求項１６記載の吸着剤。
【請求項２２】
吸着剤と１以上の重金属で汚染された水とを混合することによって、吸着剤がバッチセットアップで使用される、請求項１６記載の吸着剤。
【請求項２３】
吸着剤床に１以上の重金属で汚染された水を通過させることによって、吸着剤がカラムセットアップで使用される、請求項１６記載の吸着剤。
【請求項２４】
ナノ複合体を含む吸着剤を含むろ過装置であって、前記ナノ複合体が、還元されたグラフェン酸化物（ＲＧＯ）と、金属および金属の酸化物のうちの少なくとも１つのナノ粒子とを含み、前記金属が、金、銀、白金、パラジウム、コバルト、マンガン、鉄、テルル、ロジウム、ルテニウム、銅、イリジウム、モリブデン、クロムおよびセリウムの少なくとも１つを含み、前記ナノ複合体が基体に結合している、ろ過装置。
【請求項２５】
基体が、シリカ、アルミナ、ゼオライト、活性炭、セルロース繊維、ココナッツ繊維、クレー、バナナシルク、ナイロンおよびヤシ殻の少なくとも１つを含む、請求項２４記載のろ過装置。
【請求項２６】
キトサン、ポリアニリン、ポリビニルアルコール、およびポリビニルピロリドン（ＰＶＰ）の少なくとも１つを用いることによってナノ複合体を基体に結合させる、請求項２５記載のろ過装置。
【請求項２７】
ろ過装置が、キャンドル、放射状多孔性ブロック、垂直多孔性ブロック、濾床、パケットおよびバッグのうちの１つである、請求項２４記載のろ過装置。
【請求項２８】
ナノ複合体を作製する方法であって、金属前駆体を還元されたグラフェン酸化物（ＲＧＯ）によって還元することを含む、方法。
【請求項２９】
金属前駆体がＲＧＯによって約４０℃までの温度で還元される、請求項２８記載の方法。
【請求項３０】
金属前駆体がＲＧＯによってその場で還元される、請求項２８記載の方法。
【請求項３１】
ＲＧＯが、グラフェン酸化物（ＧＯ）の化学的、生物学的、物理的、光化学的、または熱水還元によって得られる、請求項２８記載の方法。
【請求項３２】
金属前駆体およびＧＯを同時に還元することをさらに含む、請求項３１記載の方法。
【請求項３３】
あらかじめ形成された金属またはあらかじめ形成された金属酸化物ナノ粒子およびＲＧＯを混合することをさらに含む、請求項２８記載の方法。
【請求項３４】
金属前駆体が、金、銀、白金、パラジウム、コバルト、マンガン、鉄、テルル、ロジウム、ルテニウム、銅、イリジウム、モリブデン、クロムおよびセリウムの１以上の化合物を含む、請求項２８記載の方法。
【請求項３５】
金属前駆体中のカウンターイオンが、塩化物、硝酸塩、酢酸塩、硫酸塩、および重炭酸塩の１以上を含む、請求項３４記載の方法。
【請求項３６】
ＧＯがグラファイト源を酸化することによって得られる、請求項３１記載の方法。
【請求項３７】
グラファイト源が化石燃料および糖の少なくとも１つを含む、請求項３６記載の方法。
【請求項３８】
金属前駆体およびＲＧＯの濃度を変えることによって、ナノ複合体のサイズを変えることをさらに含む、請求項２８記載の方法。
【請求項３９】
吸着剤を作製する方法であって、請求項２８記載のナノ複合体をシリカに結合させることを含む、方法。
【請求項４０】
請求項２８記載の方法によって形成されるナノ複合体。
【請求項４１】
約５０ｎｍ〜５μｍの幅を有する、請求項１〜２８記載のナノ複合体。
【請求項４２】
ナノ複合体が、球状、四面体形状、三角形状、角柱形状、ロッド形状、六角形状、立方体形状、リボン形状、管形状、らせん形状、樹枝形状、花形状、星形状、シート形状またはそれらの組み合わせのものである、請求項１または２８記載のナノ複合体。
【請求項４３】
ナノ複合体がスーパーコンデンサで用いられる、請求項１または２８記載のナノ複合体。
【請求項４４】
ナノ複合体が、スズキカップリングを含む有機反応において用いられる、請求項１または２８記載のナノ複合体。
【請求項４５】
ナノ複合体が、スズキカップリング、水素化および脱水素化反応、ならびに石油のクラッキングの少なくとも１つを含む有機反応において使用される、請求項１または２８記載のナノ複合体。
【請求項４６】
ナノ複合体が、燃料電池および水素貯蔵における酸素還元反応の触媒として用いられる、請求項１または２８記載のナノ複合体。